(57)【要約】【課題】足指を上方ないし前方からの比較的大きな衝撃又は力から保護する足指保護具を提供する。【解決手段】足指の下方に位置する基部３と足指の前方に位置する前方保護部５とにより支持枠１を形成し、該支持枠１の内側には５本の足指を上方から各別に覆う５個の足指ガード７ａ、７ｂ、７ｃ、７ｄ、７ｅを連設してなる足指保護体７を配設したことを特徴とする足指保護具。足指保護体７は、該足指保護体７の左右各端９、１１をそれぞれ前記支持枠１の左右各端１３、１５に固定することにより、該支持枠１の内側に取り付ける。【選択図】図１
2010004974.tif 000002
【特許請求の範囲】
【請求項１】
足指の下方に位置する基部と足指の前方に位置する前方保護部とにより支持枠を形成し、該支持枠の内側には５本の足指を上方から各別に覆う５個の足指ガードを連設してなる足指保護体を配設したことを特徴とする足指保護具。
【請求項２】
前記足指保護体は、該足指保護体の左右各端をそれぞれ前記支持枠の左右各端に固定することにより、該支持枠の内側に取り付けたことを特徴とする請求項１に記載の足指保護具。
【請求項３】
前記各足指ガードは略逆Ｕ字状をなすことを特徴とする請求項１又は２に記載の足指保護具。
【請求項４】
前記各足指ガードは弾性体により形成したことを特徴とする請求項１〜３のいずれかに記載の足指保護具。
【発明の詳細な説明】
【技術分野】
【０００１】
本発明は、足指保護具に関するものであり、特に足指（足の指）を上方ないし前方からの衝撃又は力から保護する足指保護具に係るものである。本発明による足指保護具は、例えば、骨折した足指をギブスにより一定期間固定した後、該ギブスを除去したときに足指を保護するために使用される。
【背景技術】
【０００２】
特表２００３−５００１０７号公報は、足指保護具として、粘弾性裏張り付きスリーブ（以下「従来の足指保護具」という。）を開示している。
【特許文献１】特表２００３−５００１０７号公報
【発明の開示】
【発明が解決しようとする課題】
【０００３】
上記従来の足指保護具は、スリーブを一本の足指に嵌めてこれを保護するものである。したがって、従来の足指保護具は、当該一本の足指を上方からの小さな衝撃又は力から保護するに過ぎないものであり、比較的大きな衝撃又は力或いは前方からの衝撃又は力から足指を保護することができないものである。例えば、骨折した足指をギブスにより一定期間固定した後、該ギブスを除去したときには、上記従来の足指保護具を着用している場合でも、特に電車、バス等の乗物内においては足指を他人に踏まれるのではないかと不安に感じ、或いは足指に前方から何らかの衝撃又は力を受けるのではないかと心配するものである。
【０００４】
本発明は、上記従来の足指保護具における上記問題を解決し、足指を上方ないし前方からの比較的大きな衝撃又は力から保護する足指保護具を提供しようとしてなされたものである。
【課題を解決するための手段】
【０００５】
上記課題を解決するために、本発明は、下記の足指保護具を提供する。
【０００６】
（１）足指の下方に位置する基部と足指の前方に位置する前方保護部とにより支持枠を形成し、該支持枠の内側には５本の足指を上方から各別に覆う５個の足指ガードを連設してなる足指保護体を配設したことを特徴とする足指保護具（請求項１）。
【０００７】
（２）前記足指保護体は、該足指保護体の左右各端をそれぞれ前記支持枠の左右各端に固定することにより、該支持枠の内側に取り付ける（請求項２）。
【０００８】
（３）前記各足指ガードは略逆Ｕ字状をなす（請求項３）。
【０００９】
（４）前記各足指ガードは弾性体により形成する（請求項４）。
【発明の効果】
【００１０】
［請求項１の発明］
足指保護体は、５本の足指を上方から各別に覆う５個の足指ガードを連設してなるものであるため、上方から衝撃又は力を受けたときには、該衝撃又は力は足指ガードを連設してなる足指保護体全体に分散する。すなわち、上方からの衝撃又は力は、各足指ガードにより単独で支えられるのではなく、５個の足指ガード全体で支えられるのである。したがって、足指は、上方からの比較的大きな衝撃又は力から有効に保護される。
【００１１】
前方保護部は、比較的大きな前方からの衝撃又は力から足指を保護する。
【００１２】
足指保護体の各足指ガードは、各足指の根元を固定するものではないため、足指保護具を着用したときでも、支障なく歩行することができる。
【００１３】
足指保護具は、靴下を履いた状態でも着用することができる。また、足指保護具を着用した状態で靴、サンダル等の履物を履くこともできる。
【００１４】
足指保護具は、外反母趾等の足指の変形の矯正にも役立つ。
【００１５】
［請求項２の発明］
足指保護体は、該足指保護体の左右各端をそれぞれ前記支持枠の左右各端に固定することにより、支持枠の内側に取り付けられており、基板には固定されていないため、着用時の歩行が容易である。
【００１６】
［請求項３の発明］
各足指ガードは略逆Ｕ字状をなしているため、足指に好ましくフィットする。
【００１７】
［請求項４の発明］
各足指ガードは、弾性体により形成されているため、足指を締め付ける。したがって、足指保護具が着用時に足指から外れるおそれがない。
【発明を実施するための最良の形態】
【００１８】
符号１に示すものは支持枠である。
【００１９】
支持枠１は、足指の下方に位置する左右方向の基部３と足指の前方に位置する前方保護部５とよりなるものである。
【００２０】
基部３は板状をなす。前方保護部５は足指の前方に位置するに適した湾曲体である。支持枠１は、基部３と前方保護部５とにより一体的に形成してもよいが、基部３の左右各端に前方保護部５の対応端を固定してなるものであっても差し支えない。
【００２１】
支持枠１の内側には５本の足指を上方から各別に覆う５個の足指ガード７ａ、７ｂ、７ｃ、７ｄ、７ｅを連設してなる足指保護体７を配設する。
【００２２】
足指ガード７ａは足の母指を覆うカバーである。足指ガード７ｂは足の第２指を覆うカバーである。足指ガード７ｃは足の第３指を覆うカバーである。足指ガード７ｄは足の第４指を覆うカバーである。足指ガード７ｅは足の小指を覆うカバーである。
【００２３】
足指保護体７は、該足指保護体７の左右各端９、１１をそれぞれ前記支持枠１の左右各端１３、１５に固定することにより、該支持枠１の内側に取り付ける。
【００２４】
各足指ガード７ａ、７ｂ、７ｃ、７ｄ、７ｅは、好ましくは略逆Ｕ字状をなす。
【００２５】
支持枠１と足指保護体７は、衝撃又は力に十分に耐え得るものでなければならない。
【００２６】
各足指ガード７ａ、７ｂ、７ｃ、７ｄ、７ｅは、好ましくは、ゴム等の弾性体により形成する。
【００２７】
なお、足指保護具は、耐水性と保温性とを備えた材料により形成することが望ましい。
【００２８】
図５に示す事例においては、足指保護具には該足指保護具が見えないようにその上面を覆う薄い皮膜状の被覆体１７が取り付けられている。  
【図面の簡単な説明】
【００２９】
【図１】本発明による足指保護具の一例を示す平面図である。
【図２】同上足指保護具を示す背面図である。
【図３】同上足指保護具を示す底面図である。
【図４】同上足指保護具の使用状態を示す平面図である。
【図５】被覆体を備えた足指保護具の使用状態を示す平面図である。
【符号の説明】
【００３０】
１  支持枠
３  基部
５  前方保護部
７  足指保護体
７ａ  足指ガード
７ｂ  足指ガード
７ｃ  足指ガード
７ｄ  足指ガード
７ｅ  足指ガード
９  端
１１  端
１３  端
１５  端
１７  被覆体
【図１】
2010004974.tif 000003
【図２】
2010004974.tif 000004
【図３】
2010004974.tif 000005
【図４】
2010004974.tif 000006
【図５】
2010004974.tif 000007